(57)【特許請求の範囲】
【請求項１】
除湿機本体の内部に、冷却器、凝縮器、圧縮機、前記冷却器から滴下した水を受ける水受皿および排水タンクを有し、前記水受皿にドレン口を設け、前記排水タンクの出し入れと連動する弁装置をドレン口と対向するように設け、この弁装置によって前記排水タンクが取り出された時にドレン口を閉止するように構成し、前記弁装置を板バネ部材で構成したレバーと、このレバーに取り付けられた弁体とで構成し、前記レバーは排水タンクの装着時に該排水タンクによる押圧を受けてドレン口を開口するように変位し、排水タンクの取り出し時に前記レバー自体が保有する弾性力によってドレン口を閉止するように変位する除湿機において、
前記レバーは、一端に係合部を有し、この係合部を水受皿底部に設けた取付用凹部に弾性係合させることによって着脱自在に設けられ、前記係合部と前記弁体の取り付け部との間に位置して略Ｕ字状に折り曲げた変位部を有することを特徴とする除湿機。
【請求項２】
前記レバーの係合部をＵ字状に形成し、その末端部分に前記取付用凹部との係合を解除するための摘み部を有していることを特徴とする請求項１記載の除湿機。
【発明の詳細な説明】
【０００１】
【発明の属する技術分野】
本発明は、冷媒を圧縮機により凝縮器と冷却器との間を循環させ、室内の空気を冷却して除湿する除湿機に関するものである。
【０００２】
【従来の技術】
従来の除湿機は、特開平５−６０３４１号公報および特開平６−３４１５８合公報に示されるように、冷却器から滴下した水を受ける水受皿の下方に排水タンクを配置し、前記排水タンクの出し入れと連動するレバーを水受皿のドレン口と対向するように取り付け、このレバーに前記排水タンクが出された時にドレン口を閉止する弁体を取り付けて、前記ドレン口からの水のポタ落ちを防止するようにしている。
【０００３】
【発明が解決しようとする課題】
しかしながら、上記従来の除湿機においては、いずれもレバーは軸によって回動自在となるように水受皿の底部に支持されるとともに、別部材のバネによって押圧力を付勢するように構成されている。このため、弁装置を構成する部品点数が多く、レバー自体の形状も複雑化して、狭い空間内で各構成部品を取り付けるには、その取り付け作業に時間がかかり、コストも高くなるという問題点があった。
【０００４】
この発明は、上記のような問題点を解消するためになされたもので、弁装置の取り付け作業に時間がかからず、部品点数も削減することができて、コストを安価にできる除湿機を提供することを目的とする。
【０００５】
【課題を解決するための手段】
上記課題を解決するために本発明の係わる除湿機は、除湿機本体の内部に、冷却器、凝縮器、圧縮機、前記冷却器から滴下した水を受ける水受皿および排水タンクを有し、前記水受皿にドレン口を設け、前記排水タンクの出し入れと連動する弁装置をドレン口と対向するように設け、この弁装置によって前記排水タンクが取り出された時にドレン口を閉止するように構成し、前記弁装置を板バネ部材で構成したレバーと、このレバーに取り付けられた弁体とで構成し、前記レバーは排水タンクの装着時に該排水タンクによる押圧を受けてドレン口を開口するように変位し、排水タンクの取り出し時に前記レバー自体が保有する弾性力によってドレン口を閉止するように変位する除湿機において、前記レバーは、一端に係合部を有し、この係合部を水受皿底部に設けた取付用凹部に弾性係合させることによって着脱自在に設けられ、前記係合部と前記弁体の取り付け部との間に位置して略Ｕ字状に折り曲げた変位部を有するものである。
【０００９】
また、前記レバーの係合部をＵ字状に形成し、その末端部分に前記取付用凹部との弾性係合を解除するための摘み部を有しているものである。
【００１０】
【発明の実施の形態】
実施の形態１．
以下、本発明の実施の形態１を示す除湿機を図面とともに説明する。
図１は本発明の実施の形態１を示す除湿機の排水タンク装着時の概略縦断面図、図２は同じく排水タンク取り出し時の要部縦断面図、図３は同じく排水タンク装着時の弁装置とドレン口部分の縦断面図、図４は同じく排水タンク取り出し時の弁装置とドレン口部分の縦断面図である。
【００１１】
図１〜図４において、１は除湿機本体で、この本体１内に冷却器２、凝縮器３、圧縮機４を冷媒配管（図示せず）で連通して冷凍サイクルを形成している。５は水受皿で、冷却器２の下方に設置されており、後方に向かって開口した円筒形のドレン口６を備えている。７は排水タンクで、ドレン口６の下方に設けられている。排水タンク７内には貯留したドレン水の満水を検知する満水検知手段７ｂが設けられている。８は風の吸込口、９は送風ファン、１０は吹出口である。１１は吹出口１０に設けられた風向変更ルーバー、１２は排水タンク７がのっている本体１の底板である。
【００１２】
１３は前記排水タンク７の出し入れに連動する弁装置で、板バネ等のバネ部材からなるレバー１４と、このレバーに取り付けられた弾力性を有する弁体１５とで構成されている。１４ａはレバー１４の一端にＵ字状に折り返して形成した係合部、１４ｂはレバー１４の係合部１４ａと弁体１５取付部との間に位置して形成したＵ字状に折り曲げた変位部で、前記排水タンク７の装着時に、レバーの変位をこの変位部１４ｂを中心にして行い、曲げ応力の局部的集中を防止する役目をする。１４ｃは排水タンク７の後部が当接する当接部で、排水タンク７の装着時に、レバー１４に加わる押圧力を分散するように排水タンクの装着方向に向かって若干傾斜させている。１４ｄはレバー１４の係合部１４ａに設けた係止孔、１４ｅはレバー１４の係合部１４ａの末端部分に設けた摘み部で、後述する固定用凹部１６と係合部１４ａの弾性係合を解除するときに使用される。１６は水受皿５の外底部に形成した取付用凹部、１６ａはこの取付用凹部１６の内側面に形成した係止用突起である。
【００１３】
次に、以上のように構成された実施の形態１の除湿機の動作について説明する。
まず、排水タンク７が本体１内に装着されている状態では、図３のように、排水タンク７の後部によってレバー１４の当接部１４ｃが後方へ押圧され、レバー１４は変位部１４ｂを中心にして後方へ変形し、レバー１４に取り付けられた弁体１５はドレン口６から離れて、ドレン口６が開口している。
【００１４】
この状態で、圧縮機４及び送風ファン９が運転されると、居室内の空気は吸込口８を通り、冷却器２で除湿され、凝縮器２によって加熱されて、乾燥空気として吹出口１０より居室内へ戻され除湿される。このとき、冷却器２で発生したドレン水は水受皿５で集められ、ドレン口６を通って排水タンク７に貯留される。
【００１５】
貯留されたドレン水が徐々に増加し、そして排水タンク７内の満水を満水検知手段７ｂが検知すると、除湿運転を停止し、使用者にランプやブザー等（図示せず）で満水を知らせ、排水タンク７内のドレン水の排出を促す。ここで、使用者は図２のように、排水タンク７を本体内１から取り出してドレン水の排水を行う。このとき、図４のように、排水タンク７が取り出されたときは、排水タンク７による当接部１４ｃの押圧力がなくなるので、バネ部材からなるレバー１４は変位部１４ｂを中心に元の形状に復帰し、レバー１４に取り付けられた弾力性を有する弁体１５がドレン口６を閉止して、ドレン水がドレン口６から流出するのを防止する。
【００１６】
また、弁装置１３の取り付け作業においては、弁体１５をレバー１４に取り付けた後、このレバー１４の一端に設けたＵ字状の係合部１４ａを水受皿５に設けた取付用凹部１６に挿入して弾性係合させるだけでよく、短時間で行える。このとき、取付用凹部１６の内側面に設けた係止用突起１６ａとレバー１４の係合部１４ａに設けた係止孔１４ｄが嵌合するので、排水タンク７による押圧力がレバー１４に加わっても、レバー１４が簡単に外れるようなことはなく、確実に固定することができる。さらに、レバー１４の係合部１４ａの末端部分には前記取付用凹部１６と係合部１４ａの弾性係合を解除するための摘み部１４ｅを設けているので、弁装置１３の取り外し作業も簡単に行える。
【００１７】
すなわち、使用者の使い勝手として排水タンク７を使用せず、連続的にドレン水を排出したい場合は、連続排水用ホース１７をドレン口６に接続して使用する。図５は弁装置１３を取り外す時の状態を示す縦断面図であり、図６は弁装置１３を取り外して連続排水ホース１７をドレン口６に接続した時の状態を示す縦断面図である。
図６のような使い方をする場合においても、上記実施の形態１に示す弁装置１３であれば、取り外し作業が簡単に行えるので、有効である。
【００１８】
【発明の効果】
以上のように、本発明の除湿機は、 レバーは、一端に係合部を有し、この係合部を水受皿底部に設けた取付用凹部に弾性係合させることによって着脱自在に設けられ、前記係合部と前記弁体の取り付け部との間に位置して略Ｕ字状に折り曲げた変位部を有するので、取り付け作業が容易で、短時間で行うことができ、レバーの変位をこの変位部を中心に行うことができ、曲げ応力の局部的集中を防止できる。
【００２２】
また、レバーの係合部の末端部分に摘み部を設けたことにより、弁装置の取り外し作業も容易になり、連続排水用ホースをドレン口に接続して連続排水等への対応が簡単になる。
【図面の簡単な説明】
【図１】  本発明の実施の形態１を示す除湿機の排水タンク装着時の縦断面図である。
【図２】  本発明の実施の形態１を示す除湿機の排水タンク取り出し時の要部縦断面図である。
【図３】  本発明の実施の形態１を示す除湿機の排水タンク装着時の要部縦断面図である。
【図４】  本発明の実施の形態１を示す除湿機の排水タンク取り出し時の要部縦断面図である。
【図５】  本発明の実施の形態１を示す除湿機の弁装置の取り外し時の要部縦断面図である。
【図６】  本発明の実施の形態１を示す除湿機の連続排水用ホース接続時の要部縦断面図である。
【符号の説明】
１  本体、２  冷却器、３  凝縮器、４  圧縮機、５  水受皿、６  ドレン口、７  排水タンク、１３  弁装置、１４  レバー、１４ａ  係合部、１４ｂ  変位部、１４ｃ  当接部、１４ｄ  係止孔、１４ｅ  摘み部、１５  弁体、１６  取付用凹部、１６ａ  係止用凸起、１７  連続排水用ホース。
【図１】
0003909517.tif 000002
【図２】
0003909517.tif 000003
【図３】
0003909517.tif 000004
【図４】
0003909517.tif 000005
【図５】
0003909517.tif 000006
【図６】
0003909517.tif 000007